(57)【要約】【課題】伝送信号の耐ノイズ性の低下の抑制を図る。【解決手段】伝送信号は、第２給電路に印加される第２直流電圧の電圧値が伝送データに応じて変化させられることで伝送される。受信回路は、第２直流電圧の電圧値（検出電圧Ｖｘのサンプリング値）をしきい値Ｖthと比較することによって電圧値の変化を検出している。受信回路は、所定の条件が満たされた場合に、受信側入力部に入力される第２直流電圧の電圧値（検出電圧Ｖｘのサンプリング値）からしきい値Ｖthを演算する。【選択図】        図７
2018018764.tif 000002
【特許請求の範囲】
【請求項１】
給電路と電気的に接続される受信側入力部と、前記受信側入力部に入力される直流電圧の電圧値の変化を検出して伝送信号を受信する受信回路とを備え、
前記伝送信号は、前記給電路に印加される直流電圧の電圧値が伝送データに応じて変化させられることで伝送され、
前記受信回路は、前記直流電圧の電圧値をしきい値と比較することによって前記電圧値の変化を検出しており、
前記受信回路は、所定の条件が満たされた場合に、前記受信側入力部に入力される前記直流電圧の電圧値から前記しきい値を演算する
信号受信装置。
【請求項２】
前記条件は、前記受信回路が起動することであり、
前記受信回路は、前記条件が満たされた場合、前記直流電圧の電圧値から一定値を減算又は加算することで前記しきい値を演算する
請求項１記載の信号受信装置。
【請求項３】
前記条件は、前記受信回路が前記伝送信号を受信することであり、
前記受信回路は、前記条件が満たされた場合、前記伝送信号に応じて変化する前記直流電圧の電圧値の最大値及び最小値の少なくともいずれか一方の電圧値から前記しきい値を演算する
請求項１又は２記載の信号受信装置。
【請求項４】
前記受信回路は、前記最大値と最小値の差分を求め、前記伝送信号の受信後の前記直流電圧の電圧値から前記差分よりも小さい電圧値を減算又は加算することで前記しきい値を演算する
請求項３記載の信号受信装置。
【請求項５】
前記条件は、前記直流電圧の電圧値と前記しきい値との差が所定の範囲から外れることであり、
前記受信回路は、前記条件が満たされた場合、前記直流電圧の電圧値と前記しきい値との差が前記所定の範囲から外れないように前記しきい値を演算する
請求項１〜４のいずれか１項に記載の信号受信装置。
【請求項６】
請求項１〜５のいずれか１項に記載の信号受信装置と、信号送信装置と、点灯装置とを有し、
前記信号送信装置は、第１直流電圧が入力される入力部と、第２直流電圧を出力する出力部と、前記第１直流電圧を前記第２直流電圧に変換する電圧変換回路と、所定の伝送期間において、前記第２直流電圧の電圧値を伝送信号に応じた電圧値に変化させるように前記電圧変換回路を制御する制御回路とを備え、
前記信号受信装置の前記受信回路は、前記第２直流電圧の電圧値をしきい値と比較することによって前記電圧値の変化を検出しており、
前記点灯装置は、前記給電路を介して供給される前記第２直流電圧によって光源を点灯させ、かつ、前記受信回路が受信する前記伝送信号に応じて前記光源の状態を変更するように構成される
点灯システム。
【請求項７】
前記信号受信装置は、前記受信回路によって演算された前記しきい値が所定の許容範囲から外れている場合、前記点灯装置に前記光源を消灯させる
請求項６記載の点灯システム。
【請求項８】
前記点灯装置は、前記給電路が電気的に接続される点灯側入力部と、前記光源が電気的に接続される点灯側出力部と、前記点灯側出力部を介して前記光源と電気的に並列接続されるコンデンサと、前記点灯側入力部から前記点灯側出力部に向けて直流電流を流す向きに設けられたダイオードとを有している
請求項６又は７記載の点灯システム。
【請求項９】
請求項１〜５のいずれか１項に記載の信号受信装置と、光源と、前記光源を点灯させる点灯装置とを備え、
前記点灯装置は、前記受信回路が取得する前記伝送データに応じて、前記光源の状態を変更する
照明器具。
【請求項１０】
請求項６〜８のいずれか１項に記載の点灯システムと、前記点灯システムが有している点灯装置によって点灯させられる光源とを有する
照明システム。
【発明の詳細な説明】
【技術分野】
【０００１】
本発明は、信号受信装置、点灯システム、照明器具、及び照明システムに関する。より詳細には、本発明は、直流電圧の電圧値を変化させることで送信される伝送信号を受信する信号受信装置に関する。また、本発明は、信号受信装置と伝送信号を送信する信号送信装置と点灯装置とを備える点灯システム、信号受信装置と点灯装置と光源とを備える照明器具、点灯システムと光源とを備える照明システム、信号送信装置と照明器具とを備える照明システムに関する。
【背景技術】
【０００２】
従来例として、特許文献１記載の照明システムを例示する。この照明システムは、１つ又は複数の照明器具を有している。照明器具は、家屋の直流配線と電気的に直接接続されるか、あるいは、引掛シーリングのような配線器具を介して直流配線と電気的に接続される。直流配線は、例えば、２本の直流供給線路からなり、住宅用分電盤に設けられるＡＣ／ＤＣコンバータによって商用電源等の交流電源から変換された直流電源と電気的に接続されている。また、照明器具は、例えば、ＬＥＤ（Light Emitting Diode，発光ダイオード）や有機エレクトロルミネッセンス素子のように直流電圧が印加されて点灯（発光）する光源を備えている。つまり、照明器具は、直流供給線路を介して供給される直流電力で点灯するので、交流電圧を直流電圧に変換するためにＡＣ／ＤＣコンバータなどの電源回路を備える必要がない。
【０００３】
ところで、特許文献１記載の照明システムにおいて、直流供給線路は、直流電力の給電路であるとともに通信路（伝送路）としても兼用されている。例えば、高周波の搬送波を用いてデータを伝送する通信信号（伝送信号）が直流電圧に重畳されている。そして、直流供給線路に接続されたスイッチが、直流電圧に重畳した伝送信号により、照明器具に対する制御の指示（例えば、点灯、消灯、調光など）を伝送している。照明器具は、スイッチから伝送されてくる伝送信号を受信し、伝送信号に含まれている制御の指示に応じて、光源を点灯、消灯、調光している。
【先行技術文献】
【特許文献】
【０００４】
【特許文献１】特開２００９−１５９６５３号公報
【発明の概要】
【発明が解決しようとする課題】
【０００５】
ところで、特許文献１記載の照明システムのように、高周波の搬送波を変調した伝送信号が直流電圧に重畳される場合、屋内配線がアンテナとなって電磁波（ノイズ）が放射されたり、電源線を介して隣の家屋に伝送信号（ノイズ）が漏れてしまう可能性がある。ゆえに、この種の照明システム等においては、伝送信号（伝送データ）の送受信によって生じるノイズを低減することが望まれている。また、屋内配線の配線長が長くなるほど、伝送信号の信号電圧が降下（減衰）するため、耐ノイズ性が低下してしまう。そのため、伝送信号の耐ノイズ性の低下を抑制することのできる構成が望まれている。
【０００６】
本発明の目的は、伝送信号の耐ノイズ性の低下の抑制を図ることができる信号受信装置、点灯システム、照明器具、及び照明システムを提供することである。
【課題を解決するための手段】
【０００７】
本発明の一態様に係る信号受信装置は、給電路と電気的に接続される受信側入力部と、前記受信側入力部に入力される直流電圧の電圧値の変化を検出して伝送信号を受信する受信回路とを備えている。前記伝送信号は、前記給電路に印加される直流電圧の電圧値が伝送データに応じて変化させられることで伝送される。前記受信回路は、前記直流電圧の電圧値をしきい値と比較することによって前記電圧値の変化を検出している。前記受信回路は、所定の条件が満たされた場合に、前記受信側入力部に入力される前記直流電圧の電圧値から前記しきい値を演算する。
【０００８】
本発明の一態様に係る点灯システムは、信号受信装置と、信号送信装置と、点灯装置とを有している。前記信号送信装置は、第１直流電圧が入力される入力部と、第２直流電圧を出力する出力部と、前記第１直流電圧を前記第２直流電圧に変換する電圧変換回路とを備えている。前記信号送信装置は、所定の伝送期間において、前記第２直流電圧の電圧値を伝送信号に応じた電圧値に変化させるように前記電圧変換回路を制御する制御回路を備えている。前記信号受信装置の前記受信回路は、前記第２直流電圧の電圧値をしきい値と比較することによって前記電圧値の変化を検出している。前記点灯装置は、前記給電路を介して供給される前記第２直流電圧によって光源を点灯させるように構成される。さらに、前記点灯装置は、前記受信回路が受信する前記伝送信号に応じて前記光源の状態を変更するように構成される。
【０００９】
本発明の一態様に係る照明器具は、信号受信装置と、光源と、前記光源を点灯させる点灯装置とを備えている。前記点灯装置は、前記受信回路が取得する前記伝送データに応じて、前記光源の状態を変更する。
【００１０】
本発明の一態様に係る照明システムは、点灯システムと、前記点灯システムが有している点灯装置によって点灯させられる光源とを有する。
【発明の効果】
【００１１】
本発明の信号受信装置、点灯システム、照明器具、及び照明システムは、伝送信号の耐ノイズ性の低下の抑制を図ることができるという効果がある。
【図面の簡単な説明】
【００１２】
【図１】図１は、本発明の一実施形態に係る信号受信装置、点灯システム、照明器具及び照明システムを示すブロック図である。
【図２】図２Ａは、同上の点灯システムにおける信号送信装置に入力される第１直流電圧の波形図である。図２Ｂは、同上の点灯システムにおける信号送信装置から送信される伝送信号の波形図である。図２Ｃは、同上の点灯システムにおける信号受信装置の動作を説明用の波形図である。
【図３】図３は、同上の点灯システムにおける信号送信装置と引掛シーリングを示す斜視図である。
【図４】図４は、同上の点灯システムにおける点灯装置の定電流回路の回路図である。
【図５】図５は、同上の点灯システムとともに用いられるリモートコントローラの正面図である。
【図６】図６は、同上の照明システムのシステム構成図である。
【図７】図７は、同上の信号受信装置の動作を説明するためのタイムチャートである。
【図８】図８は、同上の信号受信装置の別の動作を説明するためのタイムチャートである。
【図９】図９は、同上の点灯システムの変形例を示すブロック図である。
【発明を実施するための形態】
【００１３】
以下、実施形態に係る信号受信装置、点灯システム、照明器具及び照明システムについて、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１４】
点灯システム４は、図１に示すように、点灯装置１と、信号送信装置２と、信号受信装置３とを有している。なお、点灯システム４は、住宅のリビングルーム（居間）などに設置されることが好ましいが、事業所の執務室や商業施設の店舗などに設置されてもよい。あるいは、点灯システム４は、飛行機（旅客機）や列車、船舶の客室などに設置されてもよい。
【００１５】
信号送信装置２は、入力部２０、出力部２１、電圧変換回路２２及び制御回路２３を備えている。入力部２０は、第１入力端子２０Ａ及び第２入力端子２０Ｂを有している。第１入力端子２０Ａ及び第２入力端子２０Ｂは、例えば、ねじ端子あるいは速結端子で構成されることが好ましい。入力部２０は、第１給電路Ｌ１と電気的に接続され、第１給電路Ｌ１を介して直流電圧（第１直流電圧Ｖ１）が入力される。第１給電路Ｌ１は、２本の電線で構成されている。２本の電線のうちの一方の電線は、第１入力端子２０Ａと、直流電源装置８の正極側の出力端子を電気的に接続している。また、２本の電線のうちの他方の電線は、第２入力端子２０Ｂと、直流電源装置８の負極側の出力端子を電気的に接続している。
【００１６】
直流電源装置８は、電力系統ＡＣから供給される交流電圧を直流電圧に変換し、正極側及び負極側の出力端子から第１給電路Ｌ１へ出力するように構成されている。なお、電力系統ＡＣから供給される交流電圧は、例えば、実効値が１００［Ｖ］、電源周波数が５０［Ｈｚ］又は６０［Ｈｚ］の交流電圧である。また、直流電源装置８から出力される直流電圧は、例えば、定格値が３０〜４０［Ｖ］程度の直流電圧である。直流電源装置８は、例えば、入力フィルタ、全波整流器、力率改善回路及び降圧チョッパ回路などのＤＣ／ＤＣコンバータを備え、住宅用分電盤などの屋内配線用の分電盤に内蔵されることが好ましい。ただし、上述した直流電源装置８の回路構成は一例であり、例えば、太陽光発電システムから供給される直流電圧を所望の直流電圧に昇圧又は降圧して第１給電路Ｌ１へ出力する回路構成であってもよい。なお、直流電源装置８の代わりに、電力系統ＡＣから供給される交流電圧を直流電圧に変換するＡＣ／ＤＣコンバータが信号送信装置２に設けられてもよい。
【００１７】
また、信号送信装置２が備える電圧変換回路２２は、入力部２０に入力される第１直流電圧Ｖ１を第２直流電圧Ｖ２に電圧変換している（図１参照）。第２直流電圧Ｖ２は、出力部２１から第２給電路Ｌ２へ出力される。出力部２１は、第１出力端子２１Ａ及び第２出力端子２１Ｂを有している。第１出力端子２１Ａ及び第２出力端子２１Ｂは、例えば、ねじ端子あるいは速結端子で構成されることが好ましい。出力部２１は、第２給電路Ｌ２と電気的に接続され、第２給電路Ｌ２に第２直流電圧Ｖ２を出力する。第２給電路Ｌ２は、２本の電線で構成されている。２本の電線のうちの一方の電線の一端が、第１出力端子２１Ａと電気的に接続され、２本の電線のうちの他方の電線の一端が、第２出力端子２１Ｂと電気的に接続されている。
【００１８】
電圧変換回路２２は、例えば、出力電圧が可変である可変型３端子レギュレータで構成されることが好ましい。つまり、電圧変換回路２２は、制御回路２３に制御され、第２直流電圧Ｖ２の電圧値を、第１電圧値Ｖ２１と第２電圧値Ｖ２２に択一的に切り替えることができる（図２Ｂ参照）。第１電圧値Ｖ２１は、第２直流電圧Ｖ２の定格値であることが好ましい。ただし、第１電圧値Ｖ２１は、第１直流電圧Ｖ１の定格の電圧値Ｖ１０（図２Ａ参照）と同じでもよいし、異なっていてもよい。また、第２電圧値Ｖ２２は、点灯装置１が光源５を点灯させるために必要な電圧値Ｖｆ以上の値であればよい。ただし、電圧変換回路２２は、可変型３端子レギュレータに代えて、スイッチングレギュレータを用いて構成されてもよい。可変型３端子レギュレータは、入力電圧を降圧することしかできないが、スイッチングレギュレータは、入力電圧を降圧するだけでなく、昇圧又は昇降圧することもできる。ゆえに、第２直流電圧Ｖ２の電圧値を第１直流電圧Ｖ１の電圧値よりも高くする場合、電圧変換回路２２は、昇圧型のスイッチングレギュレータを用いて構成されることが好ましい。
【００１９】
制御回路２３は、マイクロコントローラ又は制御用ＩＣなどで構成されている。制御回路２３は、リモートコントローラ（以下、リモコンと略す）９から信号線Ｌ３を介して送信される制御信号を受信するように構成されている。さらに、制御回路２３は、受信した制御信号で指示される調光レベルを伝送データに置き換え、伝送データに応じて、電圧変換回路２２を制御するように構成されている。なお、本実施形態において、調光レベルは、光源５に流す電流の定格値に対する比率を百分率で表した値（単位は［％］）で定義される。伝送データは、例えば、２５６段階の調光レベルが１対１に対応付けされた８ビットのビット列で構成されている。例えば、１００［％］の調光レベルが「００００００００」のビット列に対応付け（置き換え）られ、０［％］（消灯）の調光レベルが「１１１１１１１１」のビット列に対応付け（置き換え）られる。また、５０［％］の調光レベルが「１０００００００」に対応付け（置き換え）られる。ただし、調光レベルは、必ずしも２５６段階である必要はなく、１２８段階や５１２段階、あるいは数段階から十数段階であってもよい。
【００２０】
制御回路２３は、例えば、伝送データの任意のビットの値（ビット値）が「１」の場合、電圧変換回路２２を制御して第２直流電圧Ｖ２の電圧値を第１電圧値Ｖ２１よりも低い第２電圧値Ｖ２２に変化させる（図２Ｂ参照）。一方、伝送データの任意のビット値が「０」の場合、制御回路２３は、電圧変換回路２２を制御して第２直流電圧Ｖ２の電圧値を第１電圧値Ｖ２１に変化させる（図２Ｂ参照）。より詳細には、制御回路２３は、８ビットの伝送データを送信する期間（伝送期間）を、一定の時間幅Ｔ０を有する８個のタイムスロットで構成している（図２Ｂ参照）。そして、制御回路２３は、伝送データのビット値が「１」であるとき、タイムスロット（の時間幅Ｔ０）よりも短い時間幅Ｔ１において第２直流電圧Ｖ２の電圧値を第２電圧値Ｖ２２に変化させるように電圧変換回路２２を制御する（図２Ｂ参照）。なお、制御回路２３は、タイムスロットの終期と、第２直流電圧Ｖ２の立ち上がり（第２電圧値Ｖ２２から第１電圧値Ｖ２１への立ち上がり）とを一致させるように電圧変換回路２２を制御している。ただし、制御回路２３は、タイムスロット内の任意の期間に第２直流電圧Ｖ２の電圧値を第２電圧値Ｖ２２に変化させればよい。例えば、制御回路２３は、タイムスロットの始期と、第２直流電圧Ｖ２の立ち下がり（第１電圧値Ｖ２１から第２電圧値Ｖ２２への立ち下がり）とを一致させるように電圧変換回路２２を制御してもよい。
【００２１】
ここで、制御回路２３は、伝送期間の開始を通知するためのスタートビットを伝送データの先頭のビットの前に送信し、かつ、伝送期間の終了を通知するためのストップビットを伝送データの末尾のビットの後に送信するように電圧変換回路２２を制御している。例えば、スタートビットは、「１１１」のようなビット列であり、ストップビットは、「０００」のようなビット列であればよい。ただし、伝送データのデータ長が８ビットに固定されているので、必ずしもストップビットが送信側（信号送信装置２）から送信されなくても、受信側（信号受信装置３）において伝送期間の終了を判別することができる。なお、本実施形態においては、伝送期間に給電路Ｌ２の線間電圧（第２直流電圧Ｖ２）を第１電圧値Ｖ２１と第２電圧値Ｖ２２とに切り替えて伝送される信号を伝送信号と呼ぶ。つまり、伝送信号は、スタートビットと伝送データとストップビットとを含み、必要に応じて、ストップビットを含まない場合もある。また、制御回路２３は、伝送期間と異なる期間（伝送期間以外の期間）においては、第２直流電圧Ｖ２の電圧値を第１電圧値Ｖ２１に維持するように電圧変換回路２２を制御している。
【００２２】
ところで、第１給電路Ｌ１は、給電用の配線器具と電気的に接続されても構わない。給電用の配線器具は、例えば、住宅の天井（天井仕上材）に設置されている引掛シーリング２００である（図３参照）。引掛シーリング２００は、天井裏などに先行配線されている第１給電路Ｌ１に電気的に接続され、第１給電路Ｌ１を通して直流電源装置８から直流電力が供給（給電）されている。信号送信装置２は、図３に示すように、円筒形のハウジング２４を有している。ハウジング２４は、例えば、合成樹脂のような電気絶縁性を有する材料で形成されることが好ましい。ハウジング２４の上面には、一対の引掛刃２５が突出している。すなわち、これら一対の引掛刃２５が引掛シーリング２００の引掛刃用刃受部２０１にかん合することにより、信号送信装置２は、引掛シーリング２００と電気的及び機械的に接続される。つまり、一対の引掛刃２５が入力部２０（の第１入力端子２０Ａ及び第２入力端子２０Ｂ）に相当する。ハウジング２４は、一対の速結端子を内蔵しており、これら一対の速結端子を介して、信号送信装置２の出力部２１（の第１出力端子２１Ａ及び第２出力端子２１Ｂ）が第２給電路Ｌ２と電気的に接続される。なお、ハウジング２４の外周面には、一対の速結端子用の電線挿入孔２４０が設けられている。
【００２３】
ところで、リモコン９は、図５に示すように、合成樹脂成形体からなる本体９０を備えている。本体９０は、例えば、壁材に設けられている埋込孔に一部分（主に後端部分）が挿入されて壁に設置されている。また、リモコン９は、第１操作釦９１、第２操作釦９２、表示部９３を備えている。第１操作釦９１は、本体９０の前面に露出している。第２操作釦９２は、本体９０の前面において、第１操作釦９１の真下に露出している。表示部９３は、例えば、縦１列に並ぶ７つの表示素子（発光ダイオードなど）９３０を有している。表示部９３は、第１操作釦９１及び第２操作釦９２が押操作されて設定される調光レベルに応じて、それら７つの表示素子９３０のうちの所定数の表示素子９３０を発光させるように構成されている。
【００２４】
リモコン９は、第１操作釦９１が押操作されると、調光レベルを、押操作される直前の値から上昇させ、上昇後の調光レベルを指示するための調光信号を信号線Ｌ３を介して送信する。また、リモコン９は、第２操作釦９２が押操作されると、調光レベルを、押操作される直前の値から下降させ、下降後の調光レベルを指示するための調光信号を信号線Ｌ３を介して送信する。さらに、リモコン９は、調光レベルが１００［％］のときは最上段の表示素子９３０を発光させ、調光レベルが下降するにつれて、下段の表示素子９３０を発光させる。つまり、リモコン９を操作する操作者は、表示部９３の何段目の表示素子９３０が発光しているかによって、おおよその調光レベルを知ることができる。なお、上述したリモコン９のように照明器具の調光レベルを制御する用途に用いられる機器は、調光器とも呼ばれている。
【００２５】
点灯装置１は、図１に示すように、点灯側入力部１０、点灯側出力部１１、定電流回路１２を備えている。点灯側入力部１０は、第１入力端子１０Ａ及び第２入力端子１０Ｂを有している。第１入力端子１０Ａ及び第２入力端子１０Ｂは、例えば、ねじ端子あるいは速結端子で構成されることが好ましい。点灯側入力部１０は、第２給電路Ｌ２と電気的に接続され、第２給電路Ｌ２を介して第２直流電圧Ｖ２が入力される。第１入力端子１０Ａは、第２給電路Ｌ２を構成する２本の電線のうち、信号送信装置２の第１出力端子２１Ａに電気的に接続されている電線と電気的に接続されている。第２入力端子１０Ｂは、第２給電路Ｌ２を構成する２本の電線のうち、信号送信装置２の第２出力端子２１Ｂに電気的に接続されている電線と電気的に接続されている。
【００２６】
点灯側出力部１１は、第１出力端子１１Ａと第２出力端子１１Ｂを有している。第１出力端子１１Ａ及び第２出力端子１１Ｂは、例えば、ねじ端子あるいは速結端子で構成されることが好ましい。点灯側出力部１１は、光源５と電気的に接続されている。光源５は、例えば、１つ又は複数のＬＥＤモジュールを有している。ＬＥＤモジュールは、例えば、実装基板と、実装基板の一面に実装されている１つ又は複数のＬＥＤチップと、それら１つ又は複数のＬＥＤチップを封止する封止材とを有している。封止材は、シリコーン樹脂などの透光性を有する封止材料で構成されている。なお、ＬＥＤチップは、青色光を放射する青色ＬＥＤチップであり、封止材には青色光を黄色光に波長変換する蛍光体が混入されている。つまり、ＬＥＤモジュールは、青色光と黄色光が混色された白色光を放射するように構成されている。ただし、光源５は、ＬＥＤモジュールに限定されず、直管形のＬＥＤランプや有機エレクトロルミネッセンス素子で構成されても構わない。
【００２７】
光源５の正極（ＬＥＤモジュールのアノード電極）に、第１出力端子１１Ａが電気的に接続されている。また、光源５の負極（ＬＥＤモジュールのカソード電極）に、第２出力端子１１Ｂが電気的に接続されている。定電流回路１２は、スイッチングレギュレータやシリーズレギュレータなどのＤＣ／ＤＣコンバータを備えている。例えば、信号送信装置２から点灯側入力部１０に入力される第２直流電圧Ｖ２の定格電圧値（第１電圧値Ｖ２１）が光源５の定格電圧よりも高い場合、定電流回路１２は、降圧チョッパ回路を備えることが好ましい。また、第１電圧値Ｖ２１が光源５の定格電圧よりも低い場合、定電流回路１２は、昇圧チョッパ回路を備えることが好ましい。本実施形態においては、第２直流電圧Ｖ２の定格電圧値が光源５の定格電圧よりも高く、定電流回路１２が降圧チョッパ回路を備えている。
【００２８】
定電流回路１２は、図４に示すように、降圧チョッパ回路と、降圧チョッパ回路を駆動する駆動回路１２０とで構成される。降圧チョッパ回路は、第１入力端子１０ＡにダイオードＤ１のカソードが電気的に接続され、ダイオードＤ１のアノードと第２入力端子１０Ｂとの間にスイッチング素子Ｑ１及び抵抗Ｒ１の直列回路が挿入される。また、ダイオードＤ１のカソード・アノード間に、電解コンデンサからなる平滑コンデンサＣ１及びインダクタＬ１が電気的に直列接続され、平滑コンデンサＣ１の両端に放電用の抵抗Ｒ２が電気的に接続される。そして、点灯側出力部１１の第１出力端子１１Ａと第２出力端子１１Ｂの間に光源５が電気的に接続される。駆動回路１２０は、スイッチング素子Ｑ１を高周波でスイッチングする。より詳細には、駆動回路１２０は、スイッチング素子Ｑ１に流れる電流の大きさを抵抗Ｒ１の両端電圧から検出し、当該電流の大きさが目標値に達したらスイッチング素子Ｑ１をオフする。また、駆動回路１２０は、一定周期あるいはインダクタＬ１に電流が流れなくなった時点で再度スイッチング素子Ｑ１をオンする。駆動回路１２０が上述のようにスイッチング素子Ｑ１をスイッチングすることにより、光源５に流す電流の大きさを目標値に一致させることができる。なお、定電流回路１２は、目標値が変更されることにより、出力電流を増減して光源５を消灯、点灯（定格点灯）及び調光点灯させることが好ましい。
【００２９】
信号受信装置３は、図１に示すように、受信側入力部３０と、受信回路３１と、分圧回路とを備えている。受信側入力部３０は、一対の受信側入力端子３０Ａ、３０Ｂを有している。これらの受信側入力端子３０Ａ、３０Ｂは、例えば、ねじ端子あるいは速結端子で構成されることが好ましい。ただし、受信側入力部３０の受信側入力端子３０Ａ、３０Ｂは、点灯装置１内において、点灯側入力部１０の第１入力端子１０Ａ及び第２入力端子１０Ｂと電気的に並列接続されてもよい。さらに、点灯装置１の定電流回路１２を構成するプリント回路と、信号受信装置３の受信回路３１及び分圧回路を構成するプリント回路とが同一のプリント回路板に形成されてもよい。受信側入力部３０は、第２給電路Ｌ２と電気的に接続され、第２給電路Ｌ２を介して第２直流電圧Ｖ２が入力される。一方の受信側入力端子３０Ａは、第２給電路Ｌ２を構成する２本の電線のうちの一方の電線を介して、信号送信装置２の第１出力端子２１Ａと電気的に接続されている。また、他方の受信側入力端子３０Ｂは、第２給電路Ｌ２を構成する２本の電線のうちの他方の電線を介して、信号送信装置２の第２出力端子２１Ｂと電気的に接続されている。
【００３０】
分圧回路は、図１に示すように、２つの抵抗器３２Ａ、３２Ｂの直列回路で構成されている。分圧回路は、一対の受信側入力端子３０Ａ、３０Ｂの間に電気的に接続され、第２給電路Ｌ２の線間電圧（第２直流電圧Ｖ２）を分圧した電圧（検出電圧Ｖｘ）を受信回路３１に出力している。受信回路３１は、マイクロコントローラ又は制御用ＩＣなどで構成されている。受信回路３１は、分圧回路から入力される検出電圧Ｖｘを、一定のサンプリング周期でサンプリングしてバッファメモリに格納している。なお、このサンプリング周期は、信号送信装置２が１ビット分の伝送データを送信する時間幅Ｔ１よりも短い値とされている。
【００３１】
受信回路３１は、バッファメモリに格納したサンプリング値（検出電圧Ｖｘの電圧値）をしきい値Ｖthと比較することで伝送信号（スタートビット、伝送データ、ストップビット）を受信する。すなわち、受信回路３１は、サンプリング値がしきい値Ｖthを下回った場合、「１」のビット値を受信したと判断し、受信したビット値（「１」）をバッファメモリに格納する。受信回路３１は、スタートビットを受信すると、スタートビットに続いて送信される伝送ビットを受信してバッファメモリに格納する。そして、受信回路３１は、ストップビットを受信すると、バッファメモリへのデータの格納を終了する。上述のように、本実施形態における受信回路３１は、第２直流電圧Ｖ２の電圧値に比例した（分圧した）検出電圧Ｖｘの電圧値をしきい値Ｖthと比較することにより、第２直流電圧Ｖ２の電圧値をしきい値Ｖthと間接的に比較している。ただし、受信回路３１は、第２直流電圧Ｖ２の電圧値をしきい値と直接比較するようにしても構わない。
【００３２】
受信回路３１は、バッファメモリに格納した伝送データから調光レベルを取得する。さらに、受信回路３１は、取得した調光レベルをＰＷＭ信号に変換して点灯装置１（の定電流回路１２）へ出力する。受信回路３１は、一定周期の方形波のデューティ比を調光レベルに応じて変化させることによって、調光レベルをＰＷＭ信号に変換している。例えば、受信回路３１は、調光レベルが１００［％］のときにデューティ比を１００［％］とし、調光レベルが０［％］のときにデューティ比を０［％］とし、調光レベルが５０［％］のときにデューティ比を５０［％］としている。あるいは、受信回路３１は、調光レベルを電圧値で表した電圧信号に変換しても構わない。
【００３３】
一方、定電流回路１２は、受信回路３１から受け取るＰＷＭ信号に応じて、出力電流の目標値を変更している。つまり、ＰＷＭ信号のデューティ比が１００［％］の場合、定電流回路１２は、出力電流の目標値を定格値（光源５の定格電流の電流値）とする。また、ＰＷＭ信号のデューティ比が５０［％］の場合、定電流回路１２は、出力電流の目標値を定格値の半分の値とする。なお、ＰＷＭ信号のデューティ比が０［％］の場合、定電流回路１２は、出力電流を停止して光源５を消灯させる。
【００３４】
ところで、点灯装置１、信号受信装置３及び光源５は、照明器具６を構成する構成要素に含まれていてもよい。照明器具６は、例えば、図６に示すように、照明器具用ライティングダクト（以下、ダクトと略す）３００と組み合わせて使用されるスポットライトである。ダクト３００は、天井（天井仕上材の下面）に取り付けられている。ダクト３００は、合成樹脂製のダクト本体３０００と、ダクト本体３０００内に収容された２本の導体（図示せず）とを有している。ダクト本体３０００は、長尺かつ中空の直方体状に形成されている。ダクト本体３０００の下面には、長手方向に沿った直線状の挿入口３００１が形成されている。２本の導体は、下方から見て、挿入口３００１を挟んで対向するように、ダクト本体３０００内に固定されている。また、ダクト本体３０００の長手方向の一端には、フェードインユニット３００２が電気的かつ機械的に接続されている。フェードインユニット３００２は、第２給電路Ｌ２の２本の電線をダクト本体３０００内の２本の導体に電気的に接続するように構成されている。つまり、ダクト３００には、信号送信装置２から第２直流電圧Ｖ２が供給されている。
【００３５】
照明器具６は、図６に示すように、本体６０、アーム６１、プラグ６２などを備えている。本体６０は、金属又は合成樹脂により、直径が異なる２つの円筒を軸方向につなげた形状に形成されている。本体６０は、光源５、点灯装置１及び信号受信装置３を内部に収容している。なお、点灯装置１の定電流回路１２を構成するプリント回路と、信号受信装置３の受信回路３１及び分圧回路を構成するプリント回路とが同一のプリント回路板に形成されてもよい。本体６０は、光源５と対向する一方の先端に窓孔６００を有している。この窓孔６００は、ガラス又はアクリル樹脂などの透光性材料で形成されたパネル６０１で覆われている。光源５が発する光は、パネル６０１を通して照明空間に照射される。プラグ６２は、円筒形のプラグ本体６２０と、プラグ本体６２０の天面から突出する一対の電極板（図示せず）とを備えている。一対の電極板は、挿入口３００１からダクト本体３０００内に挿入され、ダクト本体３０００内に固定されている２本の導体と接触する。なお、プラグ６２の一対の電極板は、電気ケーブル６３を介して、本体６０内に収容されている点灯装置１の第１入力端子１０Ａ及び第２入力端子１０Ｂと電気的に接続されている。アーム６１は、本体６０を支持する一対の支持片６１０と、一対の支持片６１０を連結する連結片６１１とを有する。アーム６１は、連結片６１１の中央部分において、プラグ本体６２０の下面に対して水平面内で回転可能に支持されている。また、アーム６１の一対の支持片６１０は、本体６０の側面に対して、垂直面内で回転可能に支持されている。
【００３６】
上述のように構成される照明器具６は、プラグ６２を介して、ダクト３００に電気的、かつ、機械的に接続される。そして、照明器具６は、ダクト３００を介して供給される直流電力によって点灯する。なお、本実施形態の照明システム７は、信号送信装置２と照明器具６（光源５、点灯装置１、信号受信装置３）で構成されている（図１参照）。また、本実施形態の照明システム７は、図６に示すように、信号送信装置２と、複数台の照明器具６とで構成されても構わない。
【００３７】
次に、点灯システム４及び照明システム７の動作を説明する。
【００３８】
例えば、操作者がリモコン９の第２操作釦９２を押操作して調光レベルを１００［％］から５０［％］に変更したと仮定する。リモコン９は、信号線Ｌ３を介して、調光レベルを５０［％］とする調光信号を送信する。信号送信装置２の制御回路２３は、リモコン９から調光信号を受信すると、調光信号で指示されている調光レベル（５０［％］）を伝送データ（「１０００００００」の８ビットのビット列）に変換する。そして、制御回路２３は、電圧変換回路２２を制御し、スタートビットを送信した後に伝送データを送信し、最後にストップビットを送信する。
【００３９】
信号送信装置２から第２給電路Ｌ２を介して送信された伝送信号は、第２給電路Ｌ２（ダクト３００の導体を含む）を介して、全て（３台）の照明器具６の信号受信装置３で受信される。信号受信装置３の受信回路３１は、受信した伝送信号に含まれている伝送データから調光レベル（５０［％］）を取得し、さらに、その調光レベルをＰＷＭ信号に変換する。すなわち、受信回路３１は、デューティ比を５０［％］としたＰＷＭ信号を生成し、生成したＰＷＭ信号を点灯装置１（の定電流回路１２）に出力する。
【００４０】
定電流回路１２は、ＰＷＭ信号のデューティ比（５０［％］）に応じて、出力電流の目標値を定格値の半分の値とする。ゆえに、点灯装置１の点灯側出力部１１から光源５に出力される出力電流の電流値が定格値の半分になるので、光源５から放射される光の量（光束）も、定格点灯時の光量のおおよそ半分になる。つまり、ダクト３００に接続されている全て（３台）の照明器具６の光量が定格点灯時の半分の光量に調光される。
【００４１】
ここで、特許文献１記載の照明システムは、高周波の搬送波を用いてデータを伝送する通信信号（伝送信号）を直流電圧に重畳している。しかしながら、特許文献１記載の照明システムのように、高周波の搬送波を変調した伝送信号が直流電圧に重畳される場合、屋内配線がアンテナとなって電磁波（ノイズ）が放射されたり、電源線を介して隣の家屋に伝送信号（ノイズ）が漏れてしまう可能性がある。一方、本実施形態の点灯システム４及び照明システム７は、第２給電路Ｌ２を介して供給される直流電圧（第２直流電圧Ｖ２）の電圧値を変化させることで伝送データ（調光レベル）を送信している。そのため、本実施形態の点灯システム４及び照明システム７は、高周波の搬送波を変調した伝送信号を直流電圧に重畳する場合と比較して、伝送データの送受信によって生じるノイズの低減を図ることができる。しかも、信号送信装置２及び信号受信装置３は、双方とも、高周波の搬送波を発生させるための発振器を備える必要がないので、回路構成の簡素化を図ることができる。
【００４２】
ここで、信号受信装置３に固有のアドレスが割り当てられても構わない。信号受信装置３に固有のアドレスが割り当てられる場合、信号送信装置２の制御回路２３は、スタートビットに続けて、アドレスを示すアドレスビットを送信した後、伝送データを送信すればよい。信号受信装置３の受信回路３１は、受信した伝送信号のアドレスビットが自己のアドレスと一致すれば、伝送データから取得した調光レベルをＰＷＭ信号に変換して点灯装置１へ出力する。一方、アドレスビットが自己のアドレスと一致しなければ、受信回路３１は、伝送データから調光レベルを取得せずに破棄する。このように信号受信装置３に固有のアドレスが割り当てられれば、ダクト３００に接続されている複数台の照明器具６をそれぞれ個別に点滅及び調光することができる。
【００４３】
ところで、信号受信装置３の受信側入力部３０に入力される第２直流電圧Ｖ２は、信号送信装置２から信号受信装置３までの第２給電路Ｌ２の長さ（配線長）が長くなるにつれ、第２給電路Ｌ２の電気抵抗による電圧降下の影響で降下（減衰）する。また、第２給電路Ｌ２の電気抵抗による電圧降下は、第２給電路Ｌ２に流れる電流の大きさ（調光レベル）に比例して大きくなる。したがって、受信回路３１におけるしきい値Ｖthが固定されていると、第２給電路Ｌ２の電気抵抗による電圧降下の影響で第１電圧値Ｖ２１としきい値Ｖthとの差（マージン）が減少し、伝送信号の耐ノイズ性が低下する可能性がある。そこで、受信回路３１は、所定の条件が満たされた場合に、受信側入力部３０に入力される第２直流電圧Ｖ２の電圧値（実際は検出電圧Ｖｘの電圧値）からしきい値Ｖthを演算している。なお、受信回路３１は、マイクロコントローラで構成されることが好ましい。
【００４４】
ここで、受信回路３１がしきい値Ｖthの演算を行う条件は、例えば、電力系統ＡＣが投入されて直流電源装置８から直流電圧の出力が開始されることにより、受信回路３１が起動すること（以下、第１の条件と呼ぶ。）である。また、別の条件は、例えば、受信回路３１が伝送信号を受信すること（以下、第２の条件と呼ぶ。）である。
【００４５】
次に、図７のタイムチャートを参照して、第１の条件及び第２の条件が満たされた場合の受信回路３１の動作を説明する。なお、図７における横軸は時間ｔを示している。また、図７における最上段は伝送信号の送信状況を示し、図７における上から２段目は伝送信号の伝送データで指示される調光レベルを示し、図７における上から３段目は第２直流電圧Ｖ２を分圧した検出電圧Ｖｘを示している。さらに、図７における上から４段目は、受信回路３１が検出電圧Ｖｘをサンプリングするためのクロック信号を示し、図７における最下段は受信回路３１がしきい値Ｖthを変更するタイミングを決定するトリガ信号を示している。ただし、クロック信号とトリガ信号はいずれも、受信回路３１の内部で生成されている。
【００４６】
まず、電力系統ＡＣが投入されて直流電源装置８から直流電圧の供給が開始されると、信号送信装置２の電圧変換回路２２と制御回路２３が起動して、第２給電路Ｌ２に第２直流電圧Ｖ２が印加される。そして、第２給電路Ｌ２に第２直流電圧Ｖ２が印加されれば、信号受信装置３の受信回路３１が起動する（時間ｔ＝ｔ１）。受信回路３１は、起動してから最初の伝送信号を受信するまで、点灯装置１（の定電流回路１２）に対して０［％］の調光レベルに対応したＰＷＭ信号を出力する。ゆえに、光源５は消灯している。
【００４７】
受信回路３１は、起動直後からクロック信号の出力を開始して検出電圧Ｖｘをサンプリングし、サンプリング値（検出電圧Ｖｘの電圧値）をバッファメモリに格納する。ここで、起動した受信回路３１は、第１の条件が満たされたと判断する。そして、受信回路３１は、バッファメモリに格納した検出電圧Ｖｘの電圧値の移動平均値（単純移動平均値）を算出し、算出した移動平均値から所定の変更値を減算することで新たなしきい値Ｖth(2)を演算する。ただし、信号送信装置２の電圧変換回路２２が昇圧型のスイッチングレギュレータを用いて構成されている場合、受信回路３１は、算出した移動平均値から所定の変更値を加算することで新たなしきい値Ｖth(2)を演算すればよい。受信回路３１は、トリガ信号を出力し、マイクロコントローラの内蔵メモリに格納しているしきい値Ｖth(1)を、新たに演算したしきい値Ｖth(2)に変更する（時間ｔ＝ｔ２）。なお、移動平均値から減算される変更値は、第２直流電圧Ｖ２の電圧レベルにおいて数［Ｖ］（例えば、３［Ｖ］）に相当する値であればよい。
【００４８】
一方、信号送信装置２の制御回路２３は、起動時点から所定時間が経過した時点（時間ｔ＝ｔ３）において、デフォルトの調光レベル（例えば、１００［％］）の伝送データを含む伝送信号の送信を開始する。そして、信号受信装置３の受信側入力部３０に入力する第２直流電圧Ｖ２の電圧値が、伝送信号に応じて第１電圧値Ｖ２１と第２電圧値Ｖ２２に切り替えられる。受信回路３１は、バッファメモリに格納したサンプリング値を、起動後に変更したしきい値Ｖth(2)と比較することで伝送信号を受信する（時間ｔ＝ｔ３〜ｔ４）。さらに、受信回路３１は、受信した伝送信号の伝送データから調光レベル（例えば、１００［％］）を取得し、取得した調光レベルをＰＷＭ信号に変換して点灯装置１（の定電流回路１２）へ出力する。その結果、点灯装置１が定格値の電流を流して光源５を定格点灯させる（時間ｔ＝ｔ４〜ｔ５）。
【００４９】
点灯装置１が光源５を定格点灯させると、第２給電路Ｌ２に流れる電流が増加する。その結果、第２給電路Ｌ２の電気抵抗による電圧降下が増えるため、受信側入力部３０に印加される第２直流電圧Ｖ２が低下する（時間ｔ＝ｔ５）。受信回路３１は、伝送信号を受信したことで第２の条件が満たされたと判断する。そして、受信回路３１は、伝送信号の受信後、より詳細には、伝送信号から取得した調光レベルに対応するＰＷＭ信号を点灯装置１に出力した後、バッファメモリに格納した検出電圧Ｖｘの電圧値の移動平均値を算出する。さらに、受信回路３１は、算出した移動平均値から変更値を減算することで新たなしきい値Ｖth(3)を演算する。受信回路３１は、トリガ信号を出力し、マイクロコントローラの内蔵メモリに格納しているしきい値Ｖth(2)を、新たに演算したしきい値Ｖth(3)に変更する（時間ｔ＝ｔ６）。なお、受信回路３１がしきい値Ｖth(3)を演算して変更するタイミングは、ＰＷＭ信号を出力してから所定時間（第２給電路Ｌ２に流れる電流が安定するまでの時間）が経過した時点であることが好ましい。
【００５０】
その後、信号送信装置２の制御回路２３は、リモコン９から調光信号を受信すると、調光信号で指示されている調光レベル（例えば、２０［％］）の伝送データを含む伝送信号の送信を開始する（時間ｔ＝ｔ７）。受信回路３１は、バッファメモリに格納したサンプリング値を、前回の伝送信号の受信後（時間ｔ＝ｔ６）に変更したしきい値Ｖth(3)と比較することで伝送信号を受信する（時間ｔ＝ｔ７〜ｔ８）。さらに、受信回路３１は、受信した伝送信号の伝送データから調光レベル（２０［％］）を取得し、取得した調光レベルをＰＷＭ信号に変換して点灯装置１（の定電流回路１２）へ出力する。その結果、点灯装置１が定格値の約２０［％］の電流を流して光源５を調光点灯させる（時間ｔ＝ｔ８〜ｔ９）。
【００５１】
点灯装置１が調光レベルを１００［％］から２０［％］に下げて光源５を調光点灯させると、第２給電路Ｌ２に流れる電流が減少する。その結果、第２給電路Ｌ２の電気抵抗による電圧降下が減少するため、受信側入力部３０に印加される第２直流電圧Ｖ２が上昇する（時間ｔ＝ｔ９）。受信回路３１は、伝送信号を受信したことで第２の条件が満たされたと判断する。そして、受信回路３１は、伝送信号の受信後、より詳細には、伝送信号から取得した調光レベルに対応するＰＷＭ信号を点灯装置１に出力した後、バッファメモリに格納した検出電圧Ｖｘの電圧値の移動平均値を算出する。さらに、受信回路３１は、算出した移動平均値から変更値を加算することで新たなしきい値Ｖth(4)を演算する。受信回路３１は、トリガ信号を出力し、マイクロコントローラの内蔵メモリに格納しているしきい値Ｖth(3)を、新たに演算したしきい値Ｖth(4)に変更する（時間ｔ＝ｔ１０）。
【００５２】
その後、信号送信装置２の制御回路２３は、リモコン９から調光信号を受信すると、調光信号で指示されている調光レベル（例えば、５０［％］）の伝送データを含む伝送信号の送信を開始する（時間ｔ＝ｔ１１）。受信回路３１は、バッファメモリに格納したサンプリング値を、前回の伝送信号の受信後（時間ｔ＝ｔ１０）に変更したしきい値Ｖth(4)と比較することで伝送信号を受信する（時間ｔ＝ｔ１１〜ｔ１２）。さらに、受信回路３１は、受信した伝送信号の伝送データから調光レベル（５０［％］）を取得し、取得した調光レベルをＰＷＭ信号に変換して点灯装置１（の定電流回路１２）へ出力する。その結果、点灯装置１が定格値の約５０［％］の電流を流して光源５を調光点灯させる（時間ｔ＝ｔ１２〜ｔ１３）。
【００５３】
点灯装置１が調光レベルを２０［％］から５０［％］に上げて光源５を調光点灯させると、第２給電路Ｌ２に流れる電流が増加する。その結果、第２給電路Ｌ２の電気抵抗による電圧降下が増加するため、受信側入力部３０に印加される第２直流電圧Ｖ２が下降する（時間ｔ＝ｔ１３）。受信回路３１は、伝送信号を受信したことで第２の条件が満たされたと判断する。そして、受信回路３１は、伝送信号の受信後、より詳細には、伝送信号から取得した調光レベルに対応するＰＷＭ信号を点灯装置１に出力した後、バッファメモリに格納した検出電圧Ｖｘの電圧値の移動平均値を算出する。さらに、受信回路３１は、算出した移動平均値から変更値を減算することで新たなしきい値Ｖth(5)を演算する。受信回路３１は、トリガ信号を出力し、マイクロコントローラの内蔵メモリに格納しているしきい値Ｖth(4)を、新たに演算したしきい値Ｖth(5)に変更する（時間ｔ＝ｔ１４）。
【００５４】
ところで、受信回路３１がしきい値Ｖthの演算を行う条件は、上述した第１の条件及び第２の条件に限定されない。例えば、受信回路３１がしきい値Ｖthの演算を行う条件は、第２直流電圧Ｖ２の電圧値としきい値Ｖthとの差が所定の範囲から外れること（以下、第３の条件と呼ぶ。）であってもよい。
【００５５】
次に、図８のタイムチャートを参照して、第１〜第３の条件が満たされた場合の受信回路３１の動作を説明する。なお、図８における横軸は時間ｔを示している。また、図８における最上段は伝送信号の送信状況を示し、図８における上から２段目は伝送信号の伝送データで指示される調光レベルを示し、図８における上から３段目は検出電圧Ｖｘを示している。さらに、図８における上から４段目は、受信回路３１が検出電圧Ｖｘをサンプリングするためのクロック信号を示し、図８における最下段は受信回路３１がしきい値Ｖthを変更するタイミングを決定するトリガ信号を示している。
【００５６】
まず、電力系統ＡＣが投入されて直流電源装置８から直流電圧の供給が開始されると、信号送信装置２の電圧変換回路２２と制御回路２３が起動して、第２給電路Ｌ２に第２直流電圧Ｖ２が印加される。そして、第２給電路Ｌ２に第２直流電圧Ｖ２が印加されれば、信号受信装置３の受信回路３１が起動する（時間ｔ＝ｔ１）。受信回路３１は、起動直後からクロック信号の出力を開始して検出電圧Ｖｘをサンプリングし、サンプリング値（検出電圧Ｖｘの電圧値）をバッファメモリに格納する（時間ｔ＝ｔ１）。起動した受信回路３１は、第１の条件が満たされたと判断する。そして、受信回路３１は、バッファメモリに格納した検出電圧Ｖｘの電圧値の移動平均値を算出し、算出した移動平均値から変更値を減算することで新たなしきい値Ｖth(2)を演算する。受信回路３１は、トリガ信号を出力し、マイクロコントローラの内蔵メモリに格納しているしきい値Ｖth(1)を、新たに演算したしきい値Ｖth(2)に変更する（時間ｔ＝ｔ２）。
【００５７】
一方、信号送信装置２の制御回路２３は、起動時点から所定時間が経過した時点（時間ｔ＝ｔ３）において、デフォルトの調光レベル（例えば、１００［％］）の伝送データを含む伝送信号の送信を開始する。そして、信号受信装置３の受信側入力部３０に入力する第２直流電圧Ｖ２の電圧値が、伝送信号に応じて第１電圧値Ｖ２１と第２電圧値Ｖ２２に切り替えられる。受信回路３１は、バッファメモリに格納したサンプリング値を、起動後に変更したしきい値Ｖth(2)と比較することで伝送信号を受信する（時間ｔ＝ｔ３〜ｔ４）。さらに、受信回路３１は、受信した伝送信号の伝送データから調光レベル（例えば、１００［％］）を取得し、取得した調光レベルをＰＷＭ信号に変換して点灯装置１（の定電流回路１２）へ出力する。その結果、点灯装置１が定格値の電流を流して光源５を定格点灯させる（時間ｔ＝ｔ４〜ｔ５）。
【００５８】
点灯装置１が光源５を定格点灯させると、第２給電路Ｌ２に流れる電流が増加する。その結果、第２給電路Ｌ２の電気抵抗による電圧降下が増えるため、受信側入力部３０に印加される第２直流電圧Ｖ２が低下する（時間ｔ＝ｔ５）。受信回路３１は、伝送信号を受信したことで第２の条件が満たされたと判断する。そして、受信回路３１は、伝送信号の受信後、より詳細には、伝送信号から取得した調光レベルに対応するＰＷＭ信号を点灯装置１に出力した後、バッファメモリに格納した検出電圧Ｖｘの電圧値の移動平均値を算出する。さらに、受信回路３１は、算出した移動平均値から変更値を減算することで新たなしきい値Ｖth(3)を演算する。受信回路３１は、トリガ信号を出力し、マイクロコントローラの内蔵メモリに格納しているしきい値Ｖth(2)を、新たに演算したしきい値Ｖth(3)に変更する（時間ｔ＝ｔ６）。
【００５９】
ここで、照明システム７においては、点灯装置１が光源５の調光レベルを変更する場合以外でも、第２給電路Ｌ２に流れる電流が増減する場合がある。例えば、第２給電路Ｌ２に電気的に接続されている複数台の照明器具６のうちの１台の照明器具６が故障して光源５が消灯した場合、第２給電路Ｌ２に流れる電流が減少する。また、周囲の明るさを検知する明るさセンサや、検知範囲内の人の存否を検知する人感センサなどを搭載したセンサ装置が第２給電路Ｌ２を介して直流電源装置８から給電される場合、第２給電路Ｌ２に流れる電流が増加する。なお、このようなセンサ装置は、明るさが基準値を下回った場合や、検知範囲内の人の存在を検知した場合、信号送信装置２と同様に、第２直流電圧Ｖ２の電圧値を変化させて伝送信号を送信することが好ましい。照明器具６は、センサ装置から送信される伝送信号を信号受信装置３で受信し、伝送信号から取得される伝送データに応じて点灯装置１が光源５の点滅や調光を行うことが好ましい。
【００６０】
例えば、センサ装置の消費電流が一時的に増えたことで第２給電路Ｌ２に流れる電流が増加したと仮定する。第２給電路Ｌ２に流れる電流が増加すれば、受信側入力部３０に印加される第２直流電圧Ｖ２が下降し、検出電圧Ｖｘのサンプリング値（第１電圧値Ｖ２１の検出電圧Ｖｘのサンプリング値）がしきい値Ｖth(3)を下回る（時間ｔ＝ｔ７）。そして、受信回路３１は、検出電圧Ｖｘのサンプリング値がしきい値Ｖth(3)を下回る時間が所定時間に達すると、第３の条件が満たされたと判断する。なお、この所定時間は、伝送信号のタイムスロットの時間幅Ｔ０よりも十分に長い時間である。受信回路３１は、バッファメモリに格納した検出電圧Ｖｘの電圧値の移動平均値を算出する。さらに、受信回路３１は、算出した移動平均値から変更値を減算することで新たなしきい値Ｖth(4)を演算する。受信回路３１は、トリガ信号を出力し、マイクロコントローラの内蔵メモリに格納しているしきい値Ｖth(3)を、新たに演算したしきい値Ｖth(4)に変更する（時間ｔ＝ｔ８）。
【００６１】
また、１台の照明器具６が故障したことで第２給電路Ｌ２に流れる電流が減少したと仮定する。第２給電路Ｌ２に流れる電流が減少すれば、受信側入力部３０に印加される第２直流電圧Ｖ２が上昇し、検出電圧Ｖｘのサンプリング値としきい値Ｖth(4)との差が大幅に増加する（時間ｔ＝ｔ９）。そして、受信回路３１は、検出電圧Ｖｘのサンプリング値（第１電圧値Ｖ２１の検出電圧Ｖｘのサンプリング値）からしきい値Ｖth(4)を減算した差が所定値（例えば、変更値）を上回る時間が所定時間に達すると、第３の条件が満たされたと判断する。受信回路３１は、バッファメモリに格納した検出電圧Ｖｘの電圧値の移動平均値を算出する。さらに、受信回路３１は、算出した移動平均値から変更値を減算することで新たなしきい値Ｖth(5)を演算する。受信回路３１は、トリガ信号を出力し、マイクロコントローラの内蔵メモリに格納しているしきい値Ｖth(4)を、新たに演算したしきい値Ｖth(5)に変更する（時間ｔ＝ｔ１０）。
【００６２】
上述のように信号受信装置３の受信回路３１は、第１乃至第３の条件が満たされた場合、第２直流電圧Ｖ２の電圧値に比例した検出電圧Ｖｘの電圧値（サンプリング値）からしきい値Ｖth(n)（n=1,2,3,…）を演算する。そして、受信回路３１は、演算したしきい値Ｖth(n)を検出電圧Ｖｘの電圧値と比較することで伝送信号を受信する。ここで、第１乃至第３の条件は、受信側入力部３０に入力される第２直流電圧Ｖ２の電圧値が増加又は減少する可能性の高い条件である。つまり、第１乃至第３の条件が満たされた場合、第１電圧値Ｖ２１としきい値Ｖthの差（マージン）が小さくなり、伝送信号の耐ノイズ性が低下する可能性がある。しかしながら、第１乃至第３の条件が満たされた場合、受信回路３１が第２直流電圧Ｖ２の電圧値に比例した検出電圧Ｖｘの電圧値からしきい値Ｖthを演算すれば、しきい値Ｖthが適切な範囲に設定され、伝送信号の耐ノイズ性の低下の抑制を図ることができる。
【００６３】
ここで、受信回路３１は、第２の条件が満たされたと判定した場合、伝送信号の第１電圧値Ｖ２１の検出電圧Ｖｘのサンプリング値と、第２電圧値Ｖ２２の検出電圧Ｖｘのサンプリング値との差の半分の値を変更値としても構わない。
【００６４】
また、第２給電路Ｌ２に規定台数よりも多い台数の照明器具６が電気的に接続された場合、第２給電路Ｌ２に流れる電流が、点灯システム４で想定される範囲を超えてしまう可能性がある。そして、過大な電流が点灯システム４に流れ続けると、第２給電路Ｌ２や直流電源装置８の温度が上昇して不具合を招くおそれがある。この場合、受信回路３１によって演算されたしきい値Ｖthが所定の許容範囲から外れると考えられる。ゆえに、信号受信装置３は、受信回路３１によって演算されたしきい値Ｖthが所定の許容範囲から外れている場合、デューティ比が０［％］のＰＷＭ信号を定電流回路１２に出力して、点灯装置１に光源５を消灯させることが好ましい。
【００６５】
ところで、点灯装置１の定電流回路１２が出力段に平滑用のコンデンサを有していない場合、定電流回路１２の出力端と点灯側出力部１１に対してコンデンサ１３が電気的に並列接続されることが好ましい（図９参照）。さらに、点灯装置１は、図９に示すように、点灯側入力部１０の第１入力端子１０Ａと定電流回路１２の間に整流用のダイオード１４が電気的に接続されることが好ましい。ダイオード１４のアノードが第１入力端子１０Ａと電気的に接続され、ダイオード１４のカソードが定電流回路１２の高電位側の入力端と電気的に接続される。コンデンサ１３は、伝送信号の伝送期間における定電流回路１２の出力電圧（出力電流）の変動を抑えることができる。また、ダイオード１４は、伝送信号の伝送期間において第２直流電圧Ｖ２の電圧値が第１電圧値Ｖ２１から第２電圧値Ｖ２２に切り替えられた際、コンデンサ１３の充電電荷が点灯側入力部１０から信号受信装置３へ放電されることを阻止している。点灯装置１が上述のように構成されれば、受信側入力部３０に入力される第２直流電圧Ｖ２の電圧変動の抑制を図ることができる。
【００６６】
ところで、光源５は、互いに発光色の異なる複数種類のＬＥＤモジュールを有していても構わない。例えば、光源５は、白色光を放射する第１ＬＥＤモジュールと、電球色光を放射する第２ＬＥＤモジュールとを有してもよい。さらに、点灯装置１は、第１ＬＥＤモジュールを点灯させるための第１定電流回路と、第２ＬＥＤモジュールを点灯させるための第２定電流回路とを備えることが好ましい。そして、第１ＬＥＤモジュールの第１調光レベル及び第２ＬＥＤモジュールの第２調光レベルを示す伝送データが、信号送信装置２から信号受信装置３へ送信される。信号受信装置３の受信回路３１は、信号送信装置２から受け取った第１調光レベルをＰＷＭ信号に変換して第１定電流回路へ出力する。同様に、信号受信装置３の受信回路３１は、信号送信装置２から受け取った第２調光レベルをＰＷＭ信号に変換して第２定電流回路へ出力する。そして、第１定電流回路は、受信回路３１から受け取ったＰＷＭ信号に対応した目標値の電流を第１ＬＥＤモジュールに流す。第２定電流回路は、受信回路３１から受け取ったＰＷＭ信号に対応した目標値の電流を第２ＬＥＤモジュールに流す。ゆえに、光源５からは、第１ＬＥＤモジュールから放射される白色光と、第２ＬＥＤモジュールから放射される電球色光とが混合（混色）された光が放射される。つまり、照明器具６、点灯システム４及び照明システム７は、第１調光レベルと第２調光レベルの割合に応じて、光源５の光を調色することができる。
【００６７】
また、伝送データは調光レベルのみに限定されない。例えば、照明器具にスピーカが内蔵されている場合、音声（音楽）ファイルを伝送データとしてもよい。つまり、信号送信装置２から音声（音楽）ファイルを伝送データとして送信し、信号受信装置３で受信した伝送データによってスピーカが駆動されることにより、照明器具のスピーカから音声（音楽）を出力することができる。
【００６８】
本実施形態の信号受信装置３は上述のように、給電路（第２給電路Ｌ２）と電気的に接続される受信側入力部３０と、受信側入力部３０に入力される直流電圧（第２直流電圧Ｖ２）の電圧値の変化を検出して伝送信号を受信する受信回路３１とを備える。伝送信号は、第２給電路Ｌ２に印加される第２直流電圧Ｖ２の電圧値が伝送データに応じて変化させられることで伝送される。受信回路３１は、第２直流電圧Ｖ２の電圧値をしきい値Ｖthと比較することによって電圧値の変化を検出している。受信回路３１は、所定の条件が満たされた場合に、受信側入力部３０に入力される第２直流電圧Ｖ２の電圧値（検出電圧Ｖｘのサンプリング値）からしきい値Ｖthを演算する。
【００６９】
本実施形態の信号受信装置３が上述のように構成されれば、受信側入力部３０に入力される第２直流電圧Ｖ２の電圧値が増加又は減少する可能性の高い条件が満たされた場合、受信回路３１によってしきい値Ｖthが適切な範囲に設定される。その結果、本実施形態の信号受信装置３は、伝送信号の耐ノイズ性の低下の抑制を図ることができる。
【００７０】
本実施形態の信号受信装置３において、条件は、受信回路３１が起動することであることが好ましい。受信回路３１は、条件（第１の条件）が満たされた場合、第２直流電圧Ｖ２の電圧値（検出電圧Ｖｘのサンプリング値）から一定値（変更値）を減算（又は加算）することでしきい値Ｖthを演算することが好ましい。
【００７１】
本実施形態の信号受信装置３が上述のように構成されれば、受信回路３１が起動する度にしきい値Ｖthが適切な範囲に設定されるので、伝送信号の耐ノイズ性の低下の更なる抑制を図ることができる。
【００７２】
本実施形態の信号受信装置３において、条件は、受信回路３１が伝送信号を受信することであることが好ましい。受信回路３１は、条件（第２の条件）が満たされた場合、伝送信号に応じて変化する第２直流電圧Ｖ２の電圧値の最大値及び最小値の少なくともいずれか一方の電圧値からしきい値Ｖthを演算することが好ましい。ただし、第２直流電圧Ｖ２の電圧値の最大値は、第１電圧値Ｖ２１の検出電圧Ｖｘのサンプリング値であり、第２直流電圧Ｖ２の最小値は、第２電圧値Ｖ２２の検出電圧Ｖｘのサンプリング値である。
【００７３】
本実施形態の信号受信装置３が上述のように構成されれば、伝送信号の伝送データで指示される内容に応じて第２直流電圧Ｖ２の電圧値が変化した場合、しきい値Ｖthが適切な範囲に設定されるので、伝送信号の耐ノイズ性の低下の更なる抑制を図ることができる。
【００７４】
本実施形態の信号受信装置３において、受信回路３１は、最大値と最小値の差分を求め、伝送信号の受信後の第２直流電圧Ｖ２の電圧値から差分よりも小さい電圧値（差分の半分の値）を減算（又は加算）することでしきい値Ｖthを演算することが好ましい。
【００７５】
本実施形態の信号受信装置３が上述のように構成されれば、しきい値Ｖthを容易に演算することができる。
【００７６】
本実施形態の信号受信装置３において、条件は、第２直流電圧Ｖ２の電圧値（検出電圧Ｖｘのサンプリング値）としきい値Ｖthとの差が所定の範囲から外れることであることが好ましい。受信回路３１は、条件（第３の条件）が満たされた場合、第２直流電圧Ｖ２の電圧値（検出電圧Ｖｘのサンプリング値）としきい値Ｖthとの差が所定の範囲から外れないようにしきい値Ｖthを演算することが好ましい。
【００７７】
本実施形態の信号受信装置３が上述のように構成されれば、第２直流電圧Ｖ２の電圧値が大幅に変化した場合、しきい値Ｖthが適切な範囲に設定されるので、伝送信号の耐ノイズ性の低下の更なる抑制を図ることができる。
【００７８】
本実施形態の点灯システム４は上述のように、信号受信装置３と、信号送信装置２と、点灯装置１とを有している。信号送信装置２は、第１直流電圧Ｖ１が入力される入力部２０と、第２直流電圧Ｖ２を出力する出力部２１と、第１直流電圧Ｖ１を第２直流電圧Ｖ２に変換する電圧変換回路２２とを備えている。信号送信装置２は、所定の伝送期間において、第２直流電圧Ｖ２の電圧値を伝送信号に応じた電圧値（第１電圧値Ｖ２１、第２電圧値Ｖ２２）に変化させるように電圧変換回路２２を制御する制御回路２３とを備えている。信号受信装置３の受信回路３１は、第２直流電圧Ｖ２の電圧値（検出電圧Ｖｘのサンプリング値）をしきい値Ｖthと比較することによって電圧値の変化を検出している。点灯装置１は、給電路（第２給電路Ｌ２）を介して供給される第２直流電圧Ｖ２によって光源５を点灯させるように構成される。さらに、点灯装置１は、受信回路３１が受信する伝送信号に応じて光源５の状態（点滅及び調光レベル）を変更するように構成される。
【００７９】
本実施形態の点灯システム４が上述のように構成されれば、伝送信号の耐ノイズ性の低下の抑制を図ることができる。
【００８０】
本実施形態の点灯システムにおいて、信号受信装置３は、受信回路３１によって演算されたしきい値Ｖthが所定の許容範囲から外れている場合、点灯装置１に光源５を消灯させることが好ましい。
【００８１】
本実施形態の点灯システムが上述のように構成されれば、過大な電流が流れ続けることによる不具合の発生を抑制することができる。
【００８２】
本実施形態の点灯システムにおいて、点灯装置１は、第２給電路Ｌ２が電気的に接続される点灯側入力部１０と、光源５が電気的に接続される点灯側出力部１１とを有していることが好ましい。さらに、点灯装置１は、点灯側出力部１１を介して光源５と電気的に並列接続されるコンデンサ１３と、点灯側入力部１０から点灯側出力部１１に向けて直流電流を流す向きに設けられたダイオード１４とを有していることが好ましい。
【００８３】
本実施形態の点灯システムが上述のように構成されれば、受信側入力部３０に入力される第２直流電圧Ｖ２の電圧変動の抑制を図ることができる。
【００８４】
本実施形態の照明器具６は上述のように、信号受信装置３と、光源５と、光源５を点灯させる点灯装置１とを備えている。点灯装置１は、受信回路３１が取得する伝送データに応じて、光源５の状態を変更する。
【００８５】
本実施形態の照明器具６が上述のように構成されれば、伝送信号の耐ノイズ性の低下の抑制を図ることができる。
【００８６】
本実施形態の照明システム７は上述のように、点灯システム４と、点灯システム４が有している点灯装置１によって点灯させられる光源５とを有する。
【００８７】
本実施形態の点灯システム４が上述のように構成されれば、伝送信号の耐ノイズ性の低下の抑制を図ることができる。
【符号の説明】
【００８８】
１  点灯装置
２  信号送信装置
３  信号受信装置
４  点灯システム
５  光源
６  照明器具
７  照明システム
１０  点灯側入力部
１１  点灯側出力部
１２  定電流回路
１３  コンデンサ
１４  ダイオード
２０  入力部
２１  出力部
２２  電圧変換回路
２３  制御回路
３０  受信側入力部
３１  受信回路
Ｖ１  第１直流電圧
Ｖ２  第２直流電圧（直流電圧）
Ｖ２１  第１電圧値（電圧値）
Ｖ２２  第２電圧値（電圧値）
Ｖｘ  検出電圧（直流電圧の電圧値）
Ｖth  しきい値
【図１】
2018018764.tif 000003
【図２】
2018018764.tif 000004
【図３】
2018018764.tif 000005
【図４】
2018018764.tif 000006
【図５】
2018018764.tif 000007
【図６】
2018018764.tif 000008
【図７】
2018018764.tif 000009
【図８】
2018018764.tif 000010
【図９】
2018018764.tif 000011